(57)【特許請求の範囲】
【請求項１】
リーダライタ（１０）と、ＩＣカード（２０）とを備えるＩＣカード処理システムであって、
前記ＩＣカードは、ＩＣカード本体（２０ａ）と、このＩＣカード本体の表面に、この表面に表示された活性化コードを隠すように剥離可能に貼り付けられたマスク部材（２０ｂ）とを備えるＩＣカードであり、
前記リーダライタは、
前記ＩＣカードが非活性状態にあるか否かにつき判定する非活性状態判定手段（４０）と、
この非活性状態判定手段が前記非活性状態にあると判定したとき、前記ＩＣカード本体からの前記マスク部材の剥離により視認される前記活性化コードを入力される入力手段（１１）と、
この入力手段への入力活性化コードをデータとして前記ＩＣカードに出力する出力手段（１２、６１）とを備え、
前記ＩＣカードは、
その活性化コードが前記出力手段からのデータと一致するか否かにつき判定するデータ判定手段（８０）と、
このデータ判定手段が一致すると判定したとき、前記ＩＣカードを活性化状態にする活性化手段（８１）とを備えるＩＣカード処理システム。
【発明の詳細な説明】
【０００１】
【発明の属する技術分野】
本発明は、プリペイドカードやクレジットカード等として機能するＩＣカード及びＩＣカード処理システムに関する。
【０００２】
【従来の技術】
近年、プリペイドカードやクレジットカード等としての役割を果たすＩＣカードが実用化されている。
【０００３】
【発明が解決しようとする課題】
ところで、ＩＣカードを使用する問題としてＩＣカードに記憶された情報は外部からは判断できない。このため、当該ＩＣカードをプリペイドカード等として使用する場合、従来の磁気カードと同様に使用実績等をＩＣカードの表面に印字したり、ＩＣカードに孔を空けたりする必要がある。従って、ＩＣカードを使用するＩＣカード処理装置に孔空け装置や印刷装置を採用する必要があり、その結果、ＩＣカード処理装置が大型化したりコスト高となるという不具合がある。
【０００４】
また、最近、実用化されてきた非接触式ＩＣカードでは、ＩＣカードをＩＣカード処理装置に近づけるだけで、データの交信を行うため、上述したＩＣカードへの印字や孔空けが不能となるという不具合もある。
【０００５】
そこで、本発明は、以上のようなことに対処するため、ＩＣカードにおいて、その表面に表示した活性化コードを剥離可能なマスク部材により隠すようにすることを目的とする。
【０００６】
また、本発明は、ＩＣカードを必要に応じて活性化するようにしたＩＣカード処理システムを提供することを目的とする。
【０００７】
【課題を解決するための手段】
上記課題の解決にあたり、請求項１に記載の発明に係るＩＣカードは、
ＩＣカード本体（２０ａ）と、このＩＣカード本体の表面に、この表面に表示された活性化コードを隠すように剥離可能に貼り付けられたマスク部材（２０ｂ）とを備える。
【０００８】
これにより、マスク部材のＩＣカード本体からの剥離の有無によりＩＣカードの使用の有無の判断が容易になされ得る。このようなことは、ＩＣカードが接触式であっても非接触式であっても同様に成立する。
【０００９】
また、請求項１に記載の発明によれば、リーダライタ（１０）と、ＩＣカード（２０）とを備えるＩＣカード処理システムであって、ＩＣカードは上記したＩＣカードであり、リーダライタは、ＩＣカードが非活性状態にあるか否かにつき判定する非活性状態判定手段（４０）と、この非活性状態判定手段が上記非活性状態にあると判定したとき、ＩＣカード本体からのマスク部材の剥離により視認される上記活性化コードを入力される入力手段（１１）と、この入力手段への入力活性化コードをデータとしてＩＣカードに出力する出力手段（１２、６１）とを備える。
【００１０】
また、ＩＣカードは、
その活性化コードが出力手段からのデータと一致するか否かにつき判定するデータ判定手段（８０）と、
このデータ判定手段が一致すると判定したとき、ＩＣカードを活性化状態にする活性化手段（８１）とを備える。
【００１１】
これにより、マスク部材が剥離されたＩＣカードの活性化が確保され、その結果、マスク部材の剥離後のＩＣカードの実際の使用を確実に可能とし得る。従って、ＩＣカードにその使用状態をＩＣカード処理装置により印刷したり孔空けしたりする必要もなく、ＩＣカード処理装置の小型化やコスト低減に役立つ。このようなことは、ＩＣカードが接触式であっても非接触式であっても同様に成立する。
【００１２】
【発明の実施の形態】
以下、本発明の一実施形態を図面に基づいて説明する。図１は、本発明に係るＩＣカード処理システムの一例を示している。
【００１３】
当該ＩＣカード処理システムは、ＩＣカード処理装置としてのリーダライタ１０を備えている。このリーダライタ１０は、各種カード処理機器に装備されており、当該リーダライタ１０は、接触式ＩＣカード２０をセットされて、このＩＣカード２０とのデータ通信を行う。なお、本実施形態では、ＩＣカード２０はプリペイドカードとして使用される。
【００１４】
リーダライタ１０は、図１にて示すごとく、データ入力部としてのキーボード１１と、ＩＣカード２０とのデータの授受を行うインターフェース１２と、キーボード１１とインターフェース１２との間に接続したマイクロコンピュータ１３とにより構成されている。キーボード１１は、後述する活性化コードの入力のために操作される。
【００１５】
マイクロコンピュータ１３は、図３にて示すフローチャートに従い、リーダライタプログラムを実行し、この実行中において、キーボード１１やインターフェース１２からの入力に基づく処理やこのインターフェース１２への出力のための処理を行う。なお、上記リーダライタプログラムは、マイクロコンピュータ１３のＲＯＭに予め記憶されている。
【００１６】
ＩＣカード２０は、図２にて示すごとく、ＩＣカード本体２０ａと、シール２０ｂとを備えている。ＩＣカード本体２０ａは、半導体チップからなるＩＣ回路２０ｃを内蔵しており、このＩＣ回路２０ｃは、図１にて示すごとく、メモリ２１と、インターフェース２２と、メモリ２１及びインターフェース２２との間に接続したマイクロコンピュータ２３とを備えている。なお、ＩＣカード２０は、リーダライタ１０にセットされたとき、そのインターフェース２２にて、リーダライタ１０のインターフェース１２に電気的に接続される。
【００１７】
メモリ２１には、ＩＣカード２０を活性化するための活性化コード（例えば、１２３４）が予め記憶されている。インターフェース２２は、リーダライタ１０のインターフェース１２との間にてデータの授受を行う。
【００１８】
マイクロコンピュータ２３は、図４にて示すフローチャートに従い、カードプログラムを実行し、この実行中において、メモリ２１のデータやインターフェース２２からの入力に基づく処理やこのインターフェース２２への出力のための処理を行う。なお、上記カードプログラムは、マイクロコンピュータ２３のＲＯＭに予め記憶されている。
【００１９】
ＩＣカード本体２０ａの表面には、上記活性化コード（以下、活性化コードＦという）が、図２にて示すごとく、４桁の数にて印刷等により表記されている。シール２０ｂは、不透明な細片状シートにより形成されており、このシール２０ｂは、ＩＣカード本体２０ａの表面に活性化コードＦを覆うように剥離可能に貼り付けられている。従って、シール２０ｂがＩＣカード本体２０ａの表面から剥離されたとき活性化コードＦが視認可能となりＩＣカード２０が活性化可能な状態におかれる。
【００２０】
このように構成した本実施形態において、ＩＣカード２０がリーダライタ１０にセットされると、ＩＣカード２０はリーダライタ１０とともに作動状態におかれる。ここで、ＩＣカード２０のリーダライタ１０へのセットは、ＩＣカード２０の所有者がシール２０ｂをＩＣカード本体２０ａから剥がした上でなされる。このように、シール２０ｂがＩＣカード本体２０ａから剥離されていることで、ＩＣカード２０が使用状態におかれたことを容易に確認することができる。
【００２１】
上記セットに伴い、リーダライタ１０においては、マイクロコンピュータ１３が図３のフローチャートに従いリーダライタプログラムの実行を開始し、ＩＣカード２０においては、マイクロコンピュータ２３が、図４のフローチャートに従い、カードプログラムの実行を開始する。これにより、リーダライタ１０とＩＣカード２０との間の交信可能状態となる。
【００２２】
ついで、マイクロコンピュータ１３が、図３のステップ３０にて、インターフェース１２を介しインターフェース２２内の金額を読みとる。これにより、ＩＣカード２０の状態とはかかわりなく、ＩＣカード２０内の金額を読みとることができる。
【００２３】
ついで、ステップ３１において、ＩＣカード２０の状態が読みとられ、その後、ステップ４０において、ＩＣカード２０が非活性状態にあるか否かが判定される。ここで、ＩＣカード２０がシール２０ｂを剥がした状態にあるのみで非活性状態にあれば、ステップ４０における判定がＹＥＳとなる。現段階で、ＩＣカード２０が活性化不能でなければ、ステップ５０における判定がＮＯとなる。
【００２４】
このような状態にて、ＩＣカード２０の所有者がＩＣカード本体２０ａに表記されている活性化コードＦを読みとり、この活性化コードＦをリーダライタ１０のキーボード１１のキー操作によりマイクロコンピュータ１３に入力すれば、ステップ６０における判定がＹＥＳとなる。これに伴い、ステップ６１において、活性化コードの送信処理がなされ、当該活性化コードがインターフェース１２に入力される。このため、リーダライタ１０は、インターフェース１２内の活性化コードをＩＣカード２０に送信する。
【００２５】
すると、ＩＣカード２０では、マイクロコンピュータ２３が、図４のステップ７０において、インターフェース２２を通しリーダライタ１０からの活性化コードを受信してＹＥＳと判定する。これに伴い、マイクロコンピュータ２３は、メモリ２１内の記憶データである活性化コードを読み出して、リーダライタ１０からの受信活性化コードと比較して、両者が一致すれば、ステップ８０においてＹＥＳと判定する。
【００２６】
この判定に伴い、マイクロコンピュータ２３は、ステップ８１において、ＩＣカード２０を不活性状態から活性状態にする。これにより、ＩＣカード２０が使用可能状態におかれる。なお、ステップ８１において、ＩＣカード２０が使用されれば、金額の減算処理がなされる。
【００２７】
また、ステップ６０におけるＹＥＳとの判定に伴うステップ６１での処理が３回以上繰り返されると、ステップ９０（図４参照）における判定がＹＥＳとなり、ステップ９１にて、ＩＣカード２０の活性不能状態への処理がなされる。
【００２８】
また、ステップ４０（図３参照）における判定がＮＯとなる場合には、ステップ４１にて減算指令送信処理がなされる。これに伴い、リーダライタ１０は、インターフェース１２を通してＩＣカード２０に減算指令を送信する。すると、ＩＣカード２０においては、マイクロコンピュータ２３が、リーダライタ１０からの減算指令をインターフェース２２を通して受け、ステップ８２（図４参照）にて、ステップ３０での読みとり金額に対する減算処理をする。
【００２９】
以上説明したように、ＩＣカード２０の活性化コードを剥離可能なシール２０ｃにより隠すようにしたので、シール２０が剥離されていなければ、ＩＣカード２０は未使用である旨容易に確認することができ、また、シール２０が剥離されていれば、ＩＣカード２０が一応使用状態におかれていることが容易に確認できて、便利である。
【００３０】
従って、従来のように、ＩＣカードにその使用状態をリーダライタにより印刷したり孔空けしたりする必要もなく、リーダライタの小型化やコスト低減に役立つ。
【００３１】
なお、本発明の実施にあたり、シール２０ｂに限ることなく、スクラッチ等のマスク部材でもって、ＩＣカード本体２０ａの表面に表記した活性化コードを覆うようにしてもよい。
【００３２】
また、本発明の実施にあたり、上記実施形態にて述べた接触式ＩＣカードに代えて、非接触式ＩＣカードを採用しても上記実施形態と実質的に同様の作用効果を達成できる。
【図面の簡単な説明】
【図１】本発明の一実施形態を示すリーダライタ及びＩＣカードのＩＣ回路のブロック図である。
【図２】図１のＩＣ回路を有するＩＣカード本体の平面図である。
【図３】図１のリーダライタのマイクロコンピュータの作用を示すフローチャートである。
【図４】図１のＩＣ回路のマイクロコンピュータの作用を示すフローチャートである。
【符号の説明】
１０…リーダライタ、１１…キーボード、１２、２２…インターフェース、
１３、２３…マイクロコンピュータ、２０…ＩＣカード、
２０ａ…ＩＣカード本体、２０ｂ…シール、２１…メモリ。
【図１】
0004051823.tif 000002
【図２】
0004051823.tif 000003
【図３】
0004051823.tif 000004
【図４】
0004051823.tif 000005